(57)【要約】【課題】磁気を使用した不正行為に対する検知精度の向上及び安定化を図るとともに、設置環境の影響を受け難い入賞口ユニットを備える遊技機を提供すること。【解決手段】  入賞口ユニット１８０は、遊技盤１００とは別体に形成され遊技盤１００に取付けられるベース体１８１と、ベース体１８１に設けられ複数の入賞口のうちの第１入賞口１５５、ベース体１８１に設けられ複数の入賞口のうちの第２入賞口１８２、第２入賞口１８２開放位置と閉鎖位置とに移動可能な蓋体１８４、ベース体１８１の背面側に設けられ蓋体１８４を開放位置及び閉鎖位置に駆動させるための駆動装置１８６、ベース体１８１の背面側に設けられ遊技盤１００に対して接近する磁気を検知するための磁気検知センサを含むユニット部材とを備え、入賞口ユニット１８０を、ベース体１８１にユニット部材１８０ａを予め組み付けた状態で遊技盤１００に取付け可能とする。【選択図】  図７
2014198161.tif 000002
【特許請求の範囲】
【請求項１】
遊技球が流下可能な遊技領域を有する遊技盤に設けられ、遊技球の流入を検知することに基づいて入賞とし得る複数の入賞口を有する入賞口ユニットを備える遊技機であって、
前記入賞口ユニットは、
前記遊技盤とは別体に形成され前記遊技盤に取付けられるベース体と、
前記ベース体に設けられ前記複数の入賞口のうちの第１入賞口、前記ベース体に設けられ前記複数の入賞口のうちの第２入賞口、前記第２入賞口を開放する開放位置と閉鎖する閉鎖位置とに移動可能な蓋体、前記ベース体の背面側に設けられ前記蓋体を開放位置及び閉鎖位置に駆動させるための駆動装置、及び前記ベース体の背面側に設けられ前記遊技盤に対して接近する磁気を検知するための磁気検知センサを含むユニット部材とを備え、
前記入賞口ユニットを、前記ベース体に前記ユニット部材を予め組み付けた状態で前記遊技盤に取付け可能としたことを特徴とする遊技機。
【請求項２】
前記遊技盤に前後方向の貫通孔を設け、前記入賞口ユニットを、前記ベース体の背面側に組み付けた前記ユニット部材を前記遊技盤の前方から前記貫通孔に挿通させた状態で、前記遊技盤に取付け可能としたことを特徴とする請求項１記載の遊技機。
【請求項３】
前記ベース体における前記第２入賞口の下方に遊技球を前記遊技領域から排出するためのアウト口を設け、
前記第１入賞口及び前記第２入賞口の双方の近傍に前記磁気検知センサのうちの第１磁気検知センサと、前記アウト口及び前記第２入賞口との双方の近傍に前記磁気検知センサのうちの第２磁気検知センサとをそれぞれ設けることを特徴とする請求項１または２に記載の遊技機。
【請求項４】
前記駆動装置を前記第１磁気検知センサ及び前記第２磁気検知センサ間に配置し、前記駆動装置が発する磁界を遮ることが可能な磁気防止部を、前記駆動装置の前記第１磁気検知センサ及び／または前記第２磁気検知センサの対向面に設けたことを特徴とする請求項３に記載の遊技機。
【発明の詳細な説明】
【技術分野】
【０００１】
本発明は、遊技盤に入賞口ユニットを備える遊技機に関する。
【背景技術】
【０００２】
従来、遊技球が流下可能な遊技領域を有する遊技盤において、遊技球が流入することによって入賞としうる一般入賞口と、遊技球が流入することによって入賞としうることに加え、大当りに係る当否抽選の実行契機とする始動入賞口と、当該大当り抽選の結果、当選すると、大当り遊技となって遊技球が入賞不可能な閉鎖状態から入賞可能な開放状態へ変化する大賞口が設けられる遊技機が知られている。
【０００３】
また、これらの入賞口には、入賞口に流入した遊技球の通過を検知する球検知センサの他に、当該入賞口の近傍に、不正行為を検知するため、遊技機に対して外部から磁気（磁界ともいう）を発生させるもの（例えば磁石）が用いられたことを検知する磁気センサが備えられている遊技機も知られている（特許文献１）。これは、遊技機の前方からガラス扉越しに磁石等が入賞口に近づけられると、磁界の強さやその変化を検知することによって不正行為を検知するものである。
【先行技術文献】
【特許文献】
【０００４】
【特許文献１】特開２００９−１４２５６９号公報
【発明の概要】
【発明が解決しようとする課題】
【０００５】
例えば、このような遊技機において、一般入賞口、始動入賞口または大入賞口に対して遊技球を入賞させるために、遊技者が故意に、当該入賞口の上方位置に複数の遊技球を詰まらせて、遊技球を一般入賞口、始動入賞口または大入賞口へ強制的に誘導する不正行為が行われることがある。
具体的には、遊技機に設けられる磁気を検知するための磁気センサの磁気を検知可能な範囲外において、磁石等により遊技球を誘引し、誘引して集まった複数の遊技球を流下させることなくその場で詰まらせることにより、遊技領域において葡萄のような遊技球の塊を形成し、この塊を利用して遊技球を入賞口へ誘導する不正行為（所謂葡萄ゴト）が行われることがある。
【０００６】
この不正行為に対して、遊技機に高感度の磁気センサを配設して磁気の検知範囲を拡大することも思案されるが、当該磁気センサは、遊技機に備えられているソレノイドなどの構成部材が生じる磁気をたとえ微細であっても検知してしまうため、正常に作動しない虞があるほか、高価であるため、製造コストが増加してしまう虞がある。
また、葡萄ゴトを防止するために、磁気センサの検知範囲を考慮しながら、入賞口、磁気センサ、ソレノイド等を最適な位置に配設する必要があるが、遊技機の種類に応じて、入賞口等の位置も異なるため、開発する遊技機の種類ごとに、構成部材間の配置調整の最適化を行う必要があり、設計及び開発期間の長期化を招き、製造コストが増大する虞がある。
【０００７】
本発明は上記課題を鑑み、磁気を使用した不正行為に対する検知精度の向上及び安定化を図るとともに、設置環境の影響を受け難い入賞口ユニットを備える遊技機を提供することを目的とする。
【課題を解決するための手段】
【０００８】
（１）遊技球が流下可能な遊技領域を有する遊技盤に設けられ、遊技球の流入を検知することに基づいて入賞とし得る複数の入賞口を有する入賞口ユニットを備える遊技機であって、前記入賞口ユニットは、前記遊技盤とは別体に形成され前記遊技盤に取付けられるベース体と、前記ベース体に設けられ前記複数の入賞口のうちの第１入賞口、前記ベース体に設けられ前記複数の入賞口のうちの第２入賞口、前記第２入賞口を開放する開放位置と閉鎖する閉鎖位置とに移動可能な蓋体、前記ベース体の背面側に設けられ前記蓋体を開放位置及び閉鎖位置に駆動させるための駆動装置、及び前記ベース体の背面側に設けられ前記遊技盤に対して接近する磁気を検知するための磁気検知センサを含むユニット部材とを備え、前記入賞口ユニットを、前記ベース体に前記ユニット部材を予め組み付けた状態で前記遊技盤に取付け可能とする。
【０００９】
上述の構成によれば、入賞口ユニットを、ベース体に、複数の入賞口や磁気検知センサを含むユニット部材を予め組み付けて単一のユニットとして形成（ユニット化）することができる。即ち、例えば、磁石を使用した不正行為（所謂葡萄ゴト）が行われた場合に、遊技球の不正な入賞が可能となってしまうと想定される箇所を、磁気検知センサの磁気に係る有効検知範囲内となるように予め設定した状態でユニット化することができるため、入賞口ユニットとして、磁気検知センサの不正行為の検知の精度の向上を図るとともに検知性能の安定化を図ることができる。また、入賞口ユニットのユニット化によって、他（異なる種類）の遊技機に、その検知精度を維持した状態で転用することが可能となる。このように転用ができそのまま利用することができるため、他の遊技機において、組み付けの際に調整等が不要となり、組み付け工数の短縮化を図ることができるとともに、新たに磁気検知センサ等の配置に係る設計及び開発期間を短縮または省略することができる。更に、入賞口ユニットのユニット化によって、遊技盤に対してユニット単位で配置可能となるため、設置環境に依存し難くなり、ゲーム性等に基づいて、遊技盤の最適な場所に設けることが可能となる。
【００１０】
（２）上記（１）において、前記遊技盤に前後方向の貫通孔を設け、前記入賞口ユニットを、前記ベース体の背面側に組み付けた前記ユニット部材を前記遊技盤の前方から前記貫通孔に挿通させた状態で、前記遊技盤に取付け可能とする。
【００１１】
上述の構成によれば、入賞口ユニットを、ベース体にユニット部材を予め組み付けた状態で、遊技盤の前方から取付け可能としたことにより、一の取付け作業で、複数の部材から構成されるユニット部材を適切な位置に容易に遊技盤に取り付けることができる。また、ベース体の背面側に組み付けたユニット部材を貫通孔に挿通させることによって、遊技盤の後面に直接ユニット部材に相当する部材（磁気検知センサ等）を設けた場合と比較して、遊技盤の板厚分、遊技盤の後面から後方への突出量を抑えることができる。
【００１２】
（３）上記（１）または（２）において、前記ベース体における前記第２入賞口の下方に遊技球を前記遊技領域から排出するためのアウト口を設け、前記第１入賞口及び前記第２入賞口の双方の近傍に前記磁気検知センサのうちの第１磁気検知センサと、前記アウト口及び前記第２入賞口との双方の近傍に前記磁気検知センサのうちの第２磁気検知センサとをそれぞれ設ける。
【００１３】
上述の構成によれば、多くの遊技球が通過する、換言すると複数の遊技球を所謂葡萄状態に容易に形成可能なアウト口周りに磁気検知センサを配置することによって、葡萄ゴトを容易に達成すること防止し、かつ入賞口周りに配置することによって、直接的に被害が生じる不正な入賞を防止することができる。
【００１４】
（４）上記（３）において、前記駆動装置を前記第１磁気検知センサ及び前記第２磁気検知センサ間に配置し、前記駆動装置が発する磁界を遮ることが可能な磁気防止部を、前記駆動装置の前記第１磁気検知センサ及び／または前記第２磁気検知センサの対向面に設ける。
【００１５】
上述の構成によれば、磁気防止部により駆動装置が発する磁界を遮ることにより、磁気検知センサは、当該磁界の影響を受けないため、磁気の検知の精度を向上させることができる。
【発明の効果】
【００１６】
本発明によれば、磁気を使用した不正行為に対する検知精度の向上及び安定化を図るとともに、設置環境の影響を受け難い入賞口ユニットを備える遊技機を提供することができる。
【図面の簡単な説明】
【００１７】
【図１】本発明に係る遊技機のガラス扉が開放状態となった正面図である。
【図２】同じく遊技機の背面図である。
【図３】同じく遊技機における遊技盤ユニットの分解前方斜視図である。
【図４】同じく遊技機における遊技盤ユニットの正面図である。
【図５】同じく遊技機における遊技盤ユニットの前方斜視図である。
【図６】同じく遊技機における遊技盤ユニットから入賞口ユニット離脱させた状態の分解前方斜視図である。
【図７】同じく遊技機における入賞口ユニットの正面拡大図である。
【図８】同じく遊技機における遊技盤の入賞口ユニット周りの背面拡大図である。
【図９】同じく遊技機における入賞口ユニットの左後方斜視図である。
【図１０】同じく遊技機における入賞口ユニットの右後方斜視図である。
【図１１】図８におけるＺ−Ｚ線における断面図である。
【発明を実施するための形態】
【００１８】
以下、図１〜図１１を参照し、発明の実施形態を通じて本発明を詳説するが、以下の実施形態は特許請求の範囲に係る発明を限定するものではなく、実施形態の中で説明される特徴の組み合わせの全てが発明の解決手段に必須であるとは限らない。
なお、以下の説明において遊技機（弾球遊技機またはパチンコ機）の各部の左右方向は、その遊技機に対面する者にとっての左右方向に合わせて説明する。即ち、遊技機の正面から説明する場合は、遊技機の正面に対面する者（例えば、遊技者）の視点を基準とし、遊技機の背面から説明する場合は、遊技機の背面に対面する者の視点を基準とする。また、正面を前面ともいい、背面を後面ともいう。
【００１９】
（遊技機）
図１に示すように、本実施形態の遊技機１は、遊技場の島設備に設置される縦長方形状の機枠２と、この機枠２に開き戸状に開閉自在に取り付けられた本体枠３と、当該本体枠３の内側に装着され盤面が透明な遊技盤１００を有する遊技盤ユニット５０と、本体枠３の前面に開き戸状に開閉自在に取り付けられ、遊技盤１００に設けられた後述する遊技領域１０１を視認させるよう中央に大きくガラス窓４ａが設けられたガラス扉４と、本体枠３の下側に開閉自在に設けられ、遊技球を貯留する受皿６を有する前面ボード５と、本体枠３内の下部に配設され遊技球を発射するための発射装置（図示省略）と、前面ボード５に取り付けられ、遊技者の回転操作に基づいて遊技球を発射装置に発射（射出）させるためのハンドル７と、前面ボード５の略中央に設けられ、遊技の状況に応じた効果音を出力するスピーカ８と、ガラス扉４の左右両側にそれぞれ設けられ、遊技の状況に応じて点灯、消灯及び点滅する照明演出を行う照明装置（図示省略）とを備える。
【００２０】
図２に示すように、遊技機１の背面側には、支持部材等を介して、主制御装置１０と、カバー部材に覆われたサブ制御装置２０と、払出発射制御装置３０とが設けられている。主制御装置１０、サブ制御装置２０、及び払出発射制御装置３０は何れもＣＰＵと、コンピュータプログラム及び遊技上の処理に必要なデータを格納したＲＯＭと、ＣＰＵがＲＯＭに格納されたコンピュータプログラムに従って処理を行うための一時記憶領域であるＲＡＭとを備えるマイクロコンピュータである。
また、図２におけるサブ制御装置２０の右隣には、入賞した賞球を払い出すための賞球払出装置３１が設けられており、払出発射制御装置３０の左隣には、各制御装置に電力を供給するための電源装置４０が設けられている。
【００２１】
（主制御装置）
主制御装置１０は、遊技機１全体を制御するための各種処理を実行し、その処理結果に基づいて、遊技を制御するための各種の制御コマンド（制御に係るコマンド情報を有する制御信号）を演算処理して出力する。主制御装置１０は、例えば、大当り遊技に係る抽選を所定の契機で実行し、抽選の結果、当選となったとき、後述するアタッカ装置１８３を制御して大入賞口１８２を開放状態とすることによって、遊技状態を遊技球の大入賞口１８２への入賞が可能（容易）となる遊技者に有利な遊技状態（大当り遊技または有利遊技ともいう）とすることができる。
【００２２】
（サブ制御装置）
サブ制御装置２０は、主制御装置１０からの制御コマンドを受信して、スピーカ８、照明装置、後述する演出表示装置１７５等の演出装置などへ制御コマンドを送信して演出に係る制御を実行する。
【００２３】
払出発射制御装置３０は、主制御装置１０からの入賞に係る制御コマンドを受信して、賞球払出装置３１の作動を制御して、受皿６へ遊技球の払出しを行う。ここで、賞球払出装置３１は、遊技球が入賞口（例えば、一般入賞口１５０、始動入賞口１５５、１６２、大入賞口１８２）に入賞したことを契機に、払出発射制御装置３０の制御によって遊技領域１０１に設けられた入賞口毎に予め対応付けられている賞球の払出個数を賞球として払出すようになっている。
また、払出発射制御装置３０は、ハンドル７の回転操作量に応じて発射装置の作動（遊技球の射出力）を制御し、受皿６に貯留された遊技球を１つずつ遊技領域１０１へ発射（射出）する。
【００２４】
（遊技盤ユニット）
図３に示すように、遊技盤ユニット５０は、遊技盤１００、装飾板２００、第１役物ユニット３００、第２役物ユニット４００、及びセット盤５００から構成される。前側から順に、遊技盤１００、装飾板２００、第１役物ユニット３００、第２役物ユニット４００、セット盤５００がそれぞれ前後に重なり合うように設けられる。また、セット盤５００の後側から演出表示装置１７５が取付けられる。
【００２５】
遊技盤１００は、その前面に遊技球が流下可能な遊技領域１０１を有し、遊技領域１０１に設けられた釘（一部の図においては省略）及び風車Ｐ等により、発射装置により遊技領域１０１に発射された遊技球の流下方向（転動方向）を制御する。また、遊技領域１０１は、流下する遊技球が流入可能な後述する複数の入賞口（例えば、一般入賞口１５０、始動入賞口１５５、１６２、大入賞口１８２）、同じく遊技球が排出されるアウト口１７８等を設ける。
【００２６】
装飾板２００は、遊技盤１００の盤面を透して視認可能な装飾部２１０、及び装飾板２００の後面側に配置される第１及び第２役物ユニット３００、４００の機構部分等を視認不可能とするための遮蔽部２２０等を設ける。
【００２７】
第１役物ユニット３００は、相対的に大寸の略立体的なハート型であって、上下動可能な第１主役物３１０、及び相対的に小寸の略立体的なハート型であってその前面に７セグメントディスプレイを有する左右一対に設けられた第１副役物３２０、３２０を設ける。
【００２８】
第２役物ユニット４００は、上部の上下動可能な第２上役物４１０と、下部の上下動可能な第２下役物４２０とを有し、第２上役物４１０及び第２下役物４２０が上下に結合することによりハート型の輪郭を形成する。
【００２９】
セット盤５００は、遊技盤１００、装飾板２００、第１役物ユニット３００及び第２役物ユニット４００を前方から収容可能であって、演出表示装置１７５の表示領域を前方から視認可能とするための開口部５１０を有し、本体枠３に取付けられる。
図４及び図５に示すように、遊技盤１００は、装飾板２００、第１役物ユニット３００、及び第２役物ユニット４００を収容したセット盤５００の前面を塞ぐように取付けられる。
【００３０】
（遊技盤）
図１、図４及び図５を参照して、遊技盤１００の構成について説明する。
主に図４に示すように、遊技盤１００は、前側の盤面に、遊技球規制レール１０３より区画される遊技領域１０１を設け、受皿６に一時的に貯留された遊技球は、発射装置により１つずつ発射（射出）されて、遊技領域１０１の内側における矢印Ｘ方向へ飛んで発射口１０２を通過し、遊技領域１０１の上部に到達し、遊技領域１０１内を１つずつ流下する。
【００３１】
（遊技領域）
主に図４及び図５を参照して遊技領域１０１に設けられた構成部材について説明する。
遊技領域１０１には、遊技領域１０１に打ち込まれた遊技球の流下方向を変化させる多数の釘（図示省略）及び風車Ｐが設けられる。
【００３２】
遊技領域１０１には、遊技領域１０１の前方から突出して遊技領域１０１に打ち込まれた遊技球を遊技領域１０１の左右に振り分け可能であって、その内部へ遊技球を流入可能とするための遊技球案内路１１１ａを有し、非作動時の第１主役物３１０、第２上役物４１０及び第２下役物４２０を略遮蔽する枠体１１１と、作動時の第１主役物３１０、第２上役物４１０及び第２下役物４２０並びに演出表示装置１７５の表示領域を前方から視認可能とする開口部１１２と、開口部１１２の下部に設けられ、遊技球案内路１１１ａを通過して枠体１１１内に流入した遊技球を一時的に受入れ可能とするとともに、受け入れた遊技球を後述する第１始動入賞口１５５に誘導可能なステージ１１４と、開口部１１２の右内縁部に取付けられるシャンパングラスを模したシャンパングラスオブジェ１２０とを含むセンター役物１１０が設けられる。
【００３３】
遊技領域１０１には、遊技球の入賞を契機に主制御装置１０による上述の大当りに係る抽選等は実行されず、賞球払出装置３１により所定数の遊技球の払出し処理が実行される複数の一般入賞口１５０、遊技球の入賞を契機に主制御装置１０により大当り遊技に係る抽選が実行される第１始動入賞口（第１入賞口）１５５及び第２始動入賞口１６２が設けられる。
【００３４】
遊技領域１０１には、遊技球の通過を契機に所定の抽選が実行され、抽選の結果当選した場合に、後述する入賞口開閉装置１６０が作動して第２始動入賞口１６２を閉鎖状態（入賞不可能な状態）から開放状態（入賞可能な状態）として遊技球の入賞を可能とするスルーチャッカ１７０が設けられる。
【００３５】
遊技領域１０１には、変動表示した複数列の演出用図柄を停止表示することによって、主制御装置１０による大当り遊技に係る抽選の結果を表示可能な例えば液晶ディスプレイからなる演出表示装置１７５が設けられる。
【００３６】
遊技領域１０１には、主制御装置１０による大当り遊技に係る抽選の結果、大当りに当選した場合に、後述するアタッカ装置１８３が作動して閉鎖状態から開放状態となって遊技球が入賞可能となることにより、遊技者に有利遊技状態を提供可能な大入賞口１８２（第２入賞口）設けられる。大入賞口１８２の前方には、大入賞口１８２を前方から視認不可能とするための目隠し板１８２ｂが設けられる。
【００３７】
遊技領域１０１には、遊技領域１０１に打ち込まれた遊技球のうち入賞しなかった遊技球を遊技盤１００の背面側に送り出すアウト口１７８が設けられる。通常遊技の場合、遊技球が入賞する率よりもアウト口１７８から排出される率の方が相対的に高くなるように設定されている。
【００３８】
（入賞口開閉装置）
図４及び図５に示すように、入賞口開閉装置１６０は、遊技領域１０１の右下に位置し、所謂右打ちされた遊技球を受入れ可能な配置となっている。
入賞口開閉装置１６０は、遊技球が流入可能であって、流入する遊技球を検知して入賞としうるための第２始動入賞口１６２を有し、第２始動入賞口１６２の上部に設けられた蓋体１６７により、遊技球が流入不可能として閉鎖される閉鎖状態と、遊技球が流入不可能として開放される開放状態とに変化可能となっている。
【００３９】
（入賞口ユニット）
次に、本発明の要部となる入賞口ユニット１８０について説明する。なお、以下の説明において、参照する図７、図１０は、入賞口ユニット１８０の構成を簡便に説明するため、上述の目隠し板１８２ｂを省略した状態の入賞口ユニット１８０を示す。
主に図４及び図５に示すように、入賞口ユニット１８０は、遊技盤１００におけるステージ１１４の下方かつ入賞口開閉装置１６０の左方に設けられる。
【００４０】
また、図６に示すように、入賞口ユニット１８０（後述するベース体１８１にユニット部材１８０ａを装着済みのもの）は、遊技盤１００に形成された貫通孔１００ａに前方からネジ止めされて取付けられる。
【００４１】
図７に示すように、入賞口ユニット１８０は、ベース体１８１と、ベース体１８１に設けられるユニット部材１８０ａとから構成される。ユニット部材１８０ａは、上述の第１始動入賞口（第１入賞口）１５５、所定の大当りのときに、開放状態となる大入賞口１８２（第２入賞口）、大入賞口１８２を遊技球が流入不可能な閉鎖状態と、遊技球が流入可能な開放状態とに変化可能とするアタッカ装置１８３、大入賞口１８２に連結された遊技球受入部１８５、第１始動入賞口１５５に連結された排出球誘導部１５８、アタッカ装置１８３の駆動源であるソレノイド１８６、ソレノイド１８６と蓋体１８４とを連係するリンク部材１８７、遊技盤１００に対して接近する磁気を検知するための第１磁気検知センサ１８９ａ、第２磁気検知センサ１８９ｃ、静電気の帯電を防止するためのアース線１９０等を含む。
なお、上述の目隠し板１８２ｂ及び／またはアース線１９０を入賞口ユニット１８０の一構成部材としなくてもよい。
【００４２】
（ベース体）
図７に示すように、ベース体１８１は、その上部に中央部分が上方に突出した板状体の正面視凸型をなし、その表面にはメッキ加工が施されており、その前面には装飾が付されている。ベース体１８１は、その下端部に下方が開放する切欠き状であって、遊技盤１００に組み付けた際に、アウト口１７８の上部に沿うように形成されたアウト口枠１７８ａを設ける。
また、ベース体１８１は、図７に示すように、その前面には、第１始動入賞口１５５、大入賞口１８２、蓋体１８４を、図８に示すように、その後面には、遊技球受入部１８５、排出球誘導部１５８、ソレノイド１８６、リンク部材１８７、アース線１９０等を含むユニット部材１８０ａが取付けられる。
【００４３】
図８に示すように、ベース体１８１（入賞口ユニット１８０）は、後面側に取付けられたユニット部材１８０ａを、遊技盤１００に形成された前後方向の貫通孔１００ａに、遊技盤１００の前方からが挿通させた状態で取付けられる。
ここで、図８に示す貫通孔１００ａは、ベース体の外形より一回り小形に形成されている。ベース体１８１（入賞口ユニット１８０）を遊技盤１００に取り付ける場合、ベース体１８１の外周部を貫通孔１００ａの外周に当接させた状態で前方からネジ止め（図６参照）によって固定する。
【００４４】
このようにベース体１８１のユニット部材１８０ａを、貫通孔１００ａに、挿通させることによって、入賞口ユニット１８０の配置位置を確定することができ、組み付け性が向上するとともに、遊技盤１００の後面に直接ユニット部材１８０ａに相当する部材（磁気検知センサ１８９ａ、１８９ｃ等）を設けた場合と比較して、遊技盤１００の板厚分、遊技盤の後面から後方への突出量を抑えることができる。
ベース体１８１（入賞口ユニット１８０）を取付け可能としたことにより、一の取付け作業で、複数の部材から構成されるユニット部材１８０ａを適切な位置に容易に遊技盤に取り付けることができる。
【００４５】
（第１始動入賞口）
図６、図７及び図１１に示すように、第１始動入賞口１５５は、ベース体１８１の前面から突出する遊技球を受入れ可能なケース体１５５ａの上部に設けられた開口であって、ベース体１８１の上部の左右方向の略中央に設けられる。ケース体１５５ａの前面には、ベース体１８１に付された装飾と同系の装飾が付されている。ケース体１５５ａの内部には、第１始動入賞口１５５から流入した遊技球を検知する球検知センサ（図示省略）が設けられている。主制御装置１０は球検知センサからの検知信号に基づいて入賞を判断している。
【００４６】
（大入賞口）
図７に示すように、大入賞口１８２は、ベース体１８１の上部の左右方向の略中央に形成される横長矩形の開口であり、その左右両側部の下側に開口の下辺部に平行するように内側に延びる軸１８２ａ、１８２ａを有する。
【００４７】
（遊技球受入部）
次に、図８〜図１０に示すように、遊技球受入部１８５は、ベース体１８１の後面に後方に突出するように設けられ、大入賞口１８２から流入した遊技球を受入れ可能とする受入部１８５ａを有する。
【００４８】
図７に示すように、受入部１８５ａは、上面、側壁、背壁１８５ｃ、及び底面１８５ｄ（背壁１８５ｃ及び底面１８５ｄはそれぞれの構成を説明するために便宜的に符号を付す。）から形成される略立方形の空間であって、その前側に大入賞口１８２を設ける。
受入部１８５ａ内の背壁１８５ｃに受入部１８５ａに流入した遊技球を排出するとともに、排出する遊技球を検知して入賞としうるための球検知センサ（図示省略）を有する排出口１８５ｂを設ける。
受入部１８５ａの底面１８５ｄは、排出口１８５ｂに向かう下り傾斜となっており、受け入れた遊技球を排出口１８５ｂに誘導するようになっている。
なお、排出口１８５ｂから排出された遊技球は、遊技機１の背面側に設けられた排出球受皿（図示省略）、または遊技機を設置する為の遊技機設置設備等（図示省略）に誘導されるようになっている。
【００４９】
（排出球誘導部）
図８〜図１０に示すように、排出球誘導部１５８は、ベース体１８１の後面に、ケース体１５５ａに連通するとともに、遊技球受入部１８５の左右方向の略中央上部から後部に亘って形成され、かつ、第１始動入賞口１５５から流入しケース体１５５ａに受入れられた遊技球を、排出球受皿や遊技機設置設備等に誘導するための誘導路１５８ａを有する。本実施形態の遊技機おいて排出球誘導部１５８は、遊技球受入部１８５と一体成形したものであるが、別体に成形して、互いを組み合わせるようにしてもよい。
【００５０】
また、図８に示すように、遊技球受入部１８５の右側には、後述するソレノイド１８６のプランジャー１８６ａ及びリンク部材１８７を収容する駆動部材収容部１８５ｅが設けられる。
【００５１】
本実施形態の遊技機においては、第１始動入賞口１５５、大入賞口１８２以外の入賞口（例えば、一般入賞口１５０、第２始動入賞口１６２）、またはアウト口１７８に流入した遊技球も同様に排出球受皿や遊技機設置設備等に誘導される。
排出球受皿または遊技機設置設備に誘導された遊技球は、排出球受皿または遊技機設置設備において一時的に貯留され、再度遊技に使用する遊技球として払出発射制御装置３０によって払出可能な状態となるように循環処理される。
【００５２】
（アタッカ装置）
アタッカ装置１８３は、大入賞口１８２の下辺部に設けられた軸１８２ａ、１８２ａを中心として前後方向にフラップ状に回動自在に設けられ、大入賞口１８２を塞ぐように大入賞口１８２の内寸より僅かに小型の矩形状をなす蓋体１８４（図７参照）と、ベース体１８１の後面に設けられ、遊技盤１００に対して直交する方向に突没可能なプランジャー１８６ａを有するソレノイド（駆動装置）１８６（図８参照）と、ソレノイド１８６の駆動力を蓋体１８４に伝達することによって、蓋体１８４を、大入賞口１８２を閉鎖状態とする閉鎖位置と大入賞口１８２を開放状態とする開放位置とに変位させるリンク部材１８７（図１１参照）とを設ける。
【００５３】
（ソレノイド）
図８〜図１０に示すように、ソレノイド１８６は、平面視Ｌ字型の金属（磁性体）プレート状取付け兼カバー部材（磁気防止部）１８８ａによって、遊技球受入部１８５の右端部の後面に取付けられるとともに、ソレノイド１８６の左側面が覆われている。また、背面視Ｌ字型の金属（磁性体）プレート状のカバー部材（磁気防止部）１８８ｂによって、ソレノイド１８６の右側面及び上面が覆われている。取付け兼カバー部材１８８ａ及びカバー部材１８８ｂは磁気を遮る磁性体で構成されているため、ソレノイド１８６の左右及び上方に配置された構成部材に対してソレノイド１８６が発する磁界の影響を減少させることができる。
なお、カバー部材１８８ｂは、上記の配置位置に限定されず、ソレノイド１８６の周囲を囲うように複数設けられるものでもよい。
また、カバー部材は１８８ｂ、上記Ｌ字型の形状に限定されず、単一面、または、複数面を有するものとしてもよい。
【００５４】
（リンク部材）
図１１に示すように、リンク部材１８７は、駆動部材収容部１８５ｅ内において回動可能に支持される。
リンク部材１８７は、前端部が上下に分岐する二股状をなし、その上側に蓋体１８４の後部に設けた切欠部１８４ａに係合可能な係合部１８７ａを設け、その下側に駆動部材収容部１８５ｅの底面に当接することによってリンク部材１８７の回動範囲を制限するための当接部１８７ｂを設ける。また、リンク部材１８７は、その後端部の上側にソレノイドのプランジャー１８６ａに連結される連結部１８７ｃを設け、その後端部の下側に駆動部材収容部１８５ｅ内に設けられた左右方向の軸１８７ｄが挿通可能な貫通孔１８７ｆを設ける。この構成により、リンク部材１８７は、駆動部材収容部１８５ｅ内において軸１８７ｄを中心として前後方向に回動可能に支持される。
【００５５】
（蓋体の開閉駆動態様）
図１１に示すように、ソレノイド１８６のプランジャー１８６ａが突出位置Ｘのとき、リンク部材１８７の係合部１８７ａは蓋体１８４の切欠部１８４ａの下縁を押し下げ、かつ、当接部１８７ｂは駆動部材収容部１８５ｅの底面に当接してリンク部材１８７の回動位置を位置決めすることによって、蓋体１８４を確実に閉鎖し安定して閉鎖状態とすることができる。
一方、ソレノイド１８６のプランジャー１８６ａが没入位置Ｙのとき、リンク部材１８７の係合部１８７ａは蓋体１８４の切欠部１８４ａの上縁を押し上げることによって、蓋体１８４を開放状態とすることができる。
【００５６】
アタッカ装置１８３は、第１始動入賞口１５５または第２始動入賞口１６２への遊技球の入賞を契機に行われる大当り遊技に係る抽選の結果が当りとなった場合、主制御装置１０によって決定された大当りの種類（ラウンド数）に基づいて、大入賞口１８２を開放状態とするラウンド処理が実行され、通常遊技よりも多くの遊技球が大入賞口１８２に入賞可能となる。これによって大当り遊技（有利遊技）が提供される。
【００５７】
（磁気検知センサ）
図８、図１０及び図１１に示すように、第１磁気検知センサ１８９ａは、ベース体１８１の後面における、第１始動入賞口１５５とソレノイド１８６との間、かつ第１始動入賞口１５５と大入賞口１８２との間に、第１センサホルダ１８９ｂにより固定されるように設けられる。第１磁気検知センサ１８９ａは、ベース体１８１（入賞口ユニット１８０）の第１始動入賞口１５５及び大入賞口１８２とそれらの近傍を含む上部領域の第１の所定の範囲において前方から近接する磁気を検知可能とする。
【００５８】
第１センサホルダ１８９ｂは、ベース体１８１にネジ止めして固定され、後方が開口する第１磁気検知センサ１８９ａを収容可能な略箱型をなす。また、第１センサホルダ１８９ｂは、その後部に、収容された第１磁気検知センサ１８９ａを後方へ離脱しないように固定（係合）するための弾性変形可能な爪部Ｎを設ける。第１磁気検知センサ１８９ａをベース体に１８１に取り付ける際は、第１磁気検知センサ１８９ａを第１センサホルダ１８９ｂの後方から押し込んで、爪部Ｎに係合させることにより固定することができる。従って、例えば、第１磁気検知センサ１８９ａの不具合により交換が必要になった場合であっても、爪部Ｎを非係合方向へ弾性変形させて、第１磁気検知センサ１８９ａを容易に取り外すことができ、新たな第１磁気検知センサ１８９ａを第１センサホルダ１８９ｂの後方から押し込んで、爪部Ｎに係合させるだけでよいので工具を要することなく容易かつ確実に取付ける（交換する）ことができる。
【００５９】
同じく、第２磁気検知センサ１８９ｃは、ベース体１８１の後面における、大入賞口１８２の左下方でかつアウト口枠１７８ａの左方に第２センサホルダ１８９ｄにより固定されるように設けられる。第２磁気検知センサ１８９ｃは、ベース体１８１（入賞口ユニット１８０）の大入賞口１８２及びアウト口１７８とそれらの近傍を含む下部領域の第２の所定の範囲において前方から近接する磁気を検知可能とする。
【００６０】
第２センサホルダ１８９ｄは、ベース体１８１にネジ止めして固定され、後方が開口する第２磁気検知センサ１８９ｃを収容可能な略箱型をなす。また、第２センサホルダ１８９ｄは、その後部に、収容された第２磁気検知センサ１８９ｃを後方へ離脱しないように固定（係合）するための弾性変形可能な爪部Ｎを設ける。第２磁気検知センサ１８９ｃをベース体に１８１に取り付ける際は、第２磁気検知センサ１８９ｃを第２センサホルダ１８９ｄの後方から押し込んで、爪部Ｎに係合させることにより固定することができる。従って、例えば、第２磁気検知センサ１８９ｃの不具合により交換が必要になった場合であっても、爪部Ｎを非係合方向へ弾性変形させて、第２磁気検知センサ１８９ｃを容易に取り外すことができ、新たな第２磁気検知センサ１８９ｃを第２センサホルダ１８９ｄの後方から押し込んで、爪部Ｎに係合させるだけでよいので工具を要することなく容易かつ確実に取付ける（交換する）ことができる。
【００６１】
本実施形態の遊技機においては、第１及び第２磁気検知センサ１８９ａ、１８９ｃが磁気を検知すると、サブ制御装置２０へ検知信号を送信し、サブ制御装置２０は、当該検知信号に基づいて、スピーカ８、照明装置、後述する演出表示装置１７５等の演出装置を通して不正行為が行われた旨、またはその可能性がある旨を音響、照明、表示演習等により報知する。
【００６２】
（ソレノイド、第１磁気検知センサ及び第２磁気検知センサ等の配置関係）
ソレノイド１８６が発する磁界の範囲と第１及び第２磁気検知センサ１８９ａ、１８９ｃの検知範囲とそれらの配置等について説明する。
第１磁気検知センサ１８９ａは、その検知範囲（第１の所定の範囲）とソレノイド１８６の磁界の範囲が重畳する位置に配置されている。そのため、取付け兼カバー部材１８８ａ及びカバー部材１８８ｂを、ソレノイド１８６及び第１磁気検知センサ１８９ａの間に介在するように配置している。具体的には、ソレノイド１８６の上部及び左右部に取付け兼カバー部材１８８ａ及びカバー部材１８８ｂを設ける（図８及び図９参照）。これにより、ソレノイド１８６の左上方に位置する第１磁気検知センサ１８９ａに対して、ソレノイド１８６の磁界（磁気）の影響が及ばないようにしている。
【００６３】
一方、第２磁気検知センサ１８９ｃは、その検知範囲（第２の所定の範囲）とソレノイド１８６の磁界の範囲が重畳しないように配置されている。具体的には、ソレノイド１８６は、第２磁気検知センサ１８９ｃと左右及び前後方向に所定距離ｔ離間している（所定範囲）。従って、ソレノイド１８６に取付け兼カバー部材１８８ａまたはカバー部材１８８ｂ等の同様のカバー部材を設けなくてもよい。なお、上記の範囲が重畳しない所定距離ｔは、その距離が確保できればその方向性は問わない。即ち、前後方向、左右方向または上下方向のみ、またはそれらの組み合わせで所定距離ｔを確保できればよい。
【００６４】
このように、ソレノイド１８６の周囲に、取付け兼カバー部材１８８ａまたはカバー部材１８８ｂを設けることによって、磁気検知センサ１８９ａ、１８９ｂに対してソレノイド１８６の磁界の影響が及ばないようになるため、磁気検知センサ１８９ａ、１８９ｂの配置を考慮せずに他の構成部材の配置をすることができるため、設計の自由度を向上させることができる。
【００６５】
（磁石を使用した不正行為を検知し報知するまでの流れ）
不正行為を行う不正行為者が、不正に遊技球を入賞させるために、例えば、第１始動入賞口１５５の近傍に遊技領域１０１を転動する遊技球を詰まらせようとするために、ガラス扉４の前面から第１始動入賞口１５５の近傍に磁石を接近させると、第１磁気検知センサ１８９ａはその磁石の磁気を検知し、当該検知に基づいて検知信号をサブ制御装置２０へ送信する。
【００６６】
また、不正行為者が、アウト口１７８の近傍に遊技領域１０１を転動する遊技球を詰まらせようとするために、ガラス扉４の前面からアウト口１７８の近傍に磁石を接近させると、第２磁気検知センサ１８９ｃはその磁石の磁気を検知し、当該検知に基づいて検知信号をサブ制御装置２０へ送信する。サブ制御装置２０は、当該検知信号に基づいて、スピーカ８、照明装置、後述する演出表示装置１７５等の演出装置を通して不正行為が行われた旨、またはその可能性がある旨を音響、照明、表示演習等により報知する。
【００６７】
上記より、入賞口ユニット１８０を、ベース体１８１に、第１始動入賞口１５５、大入賞口１８２、アタッカ装置１８３、アウト口枠１７８ａ、アース線１９０等含むユニット部材１８０ａを予め組み付けてユニット化することができる。即ち、例えば、磁石を使用した不正行為（葡萄ゴト）が行われた場合に、遊技球の不正な入賞が可能となってしまうと想定される箇所を、第１及び第２磁気検知センサ１８９ａ、１８９ｂの磁気に係る有効検知範囲内となるように予め設定した状態でユニット化することができるため、入賞口ユニット１８０として、第１及び第２磁気検知センサ１８９ａ、１８９ｂの不正行為の検知の精度の向上を図るとともに検知性能の安定化を図ることができる。
【００６８】
より具体的には、多くの遊技球が通過する、換言すると複数の遊技球を所謂葡萄状態に容易に形成可能なアウト口１７８周りに第２磁気検知センサ１８９ｃを配置することによって、葡萄ゴトを容易に達成すること防止し、かつ、第１始動入賞口１５５、及び大入賞口１８２周りに第１磁気検知センサ１８９ａを配置することによって、直接的に被害が生じる不正な入賞を防止することができる。
【００６９】
また、入賞口ユニット１８０のユニット化によって、他（異なる種類）の遊技機に、その検知精度を維持した状態で転用することが可能となる。入賞口ユニット１８０を転用可能とすることにより、他の遊技機において、組み付けの際に調整等が不要となり、組み付け工数の短縮化を図ることができるとともに、新たに磁気検知センサ等の配置に係る設計及び開発期間を短縮または省略することができる。更に、入賞口ユニット１８０のユニット化によって、遊技盤１００に対してユニット単位で配置可能となるため、設置環境に依存し難くなり、ゲーム性等に基づいて、遊技盤の最適な場所に設けることが可能となる。
【００７０】
また、取付け兼カバー部材１８８ａ、カバー部材（磁気防止部）１８８ｂによりソレノイド１８６が発する磁界を遮ることにより、第１磁気検知センサ１８９ａは、当該磁界の影響を受けないため、磁気の検知の精度を向上させることができる。
【符号の説明】
【００７１】
１  遊技機，１０  主制御装置，２０  サブ制御装置，５０  遊技盤ユニット，１００  遊技盤，１００ａ  貫通孔，１０１  遊技領域，１５５  第１始動入賞口，１５５ａ  ケース体，１５８  排出球誘導部，１５８ａ  誘導路，１６０  入賞口開閉装置，１６２  第２始動入賞口，１７０  スルーチャッカ，１７５  演出表示装置，１７８  アウト口，１７８ａ  アウト口枠，１８０  入賞口ユニット，１８０ａ  ユニット部材，１８１  ベース体，１８２  大入賞口，１８２ａ  軸，１８３  アタッカ装置，１８４  蓋体，１８４ａ  切欠部，１８５  遊技球受入部，１８５ａ  受入部，１８５ｂ  排出口，１８５ｃ  背壁，１８５ｄ  底面，１８５ｅ  駆動部材収容部，１８６  ソレノイド，１８６ａ  プランジャー，１８７  リンク部材，１８７ａ  係合部，１８７ｂ  当接部，１８７ｃ  連結部，１８７ｄ  軸，１８７ｆ  貫通孔，１８８ａ  取付け兼カバー部材，１８８ｂ  カバー部材，１８９ａ  第１磁気検知センサ，１８９ｂ  第１センサホルダ，１８９ｃ  第２磁気検知センサ，１８９ｄ  第２センサホルダ，１９０  アース線，２００  装飾板，３００  第１役物ユニット，４００  第２役物ユニット，５００  セット盤
【図１】
2014198161.tif 000003
【図２】
2014198161.tif 000004
【図３】
2014198161.tif 000005
【図４】
2014198161.tif 000006
【図５】
2014198161.tif 000007
【図６】
2014198161.tif 000008
【図７】
2014198161.tif 000009
【図８】
2014198161.tif 000010
【図９】
2014198161.tif 000011
【図１０】
2014198161.tif 000012
【図１１】
2014198161.tif 000013